(57)【要約】      （修正有）【課題】ストラップ紐を通すための通し孔の有無に関わらず、ストラップを電子機器に簡単に着脱可能に取り付けることができるストラップ付の携帯可能な電子機器を提供する。【解決手段】携帯可能な電子機器３１又はその収納ケースに取り付けられるストラップを、ストラップ本体１４と、ストラップ本体１４の基端に設けられた取付部材１１とから構成する。取付部材１１は、ストラップ用面ファスナ１２を有している。このストラップ用面ファスナ１２を、電子機器又３１はそのケースに取り付けられた機器用面ファスナ２１と係合させることによって、着脱可能にストラップ１０を電子機器３１又その収納ケースに取り付ける。【選択図】図１
0003179733.tif 000002
【実用新案登録請求の範囲】
【請求項１】
携帯可能な電子機器又は前記電子機器を収納するケースに取り付けられるストラップにおいて、
ストラップ本体と、前記ストラップ本体の基端に設けられた取付部材とを備え、
前記取付部材はストラップ用面ファスナを有しており、前記ストラップ用面ファスナを、前記電子機器又は前記ケースに取り付けられた機器用面ファスナと係合させることによって、前記電子機器又は前記ケースに前記ストラップ本体の基端を着脱可能に固定するようにしたことを特徴とするストラップ。
【請求項２】
携帯可能な電子機器又は前記電子機器を収納するケースにストラップを取り付けるための取付部材において、
少なくとも１つの面に設けられた面ファスナと、前記ストラップの基端側を挿通して固定する挿通孔とを備え、
前記ストラップの基端側を前記挿通孔に通して固定すると共に、前記面ファスナを、前記電子機器又は前記ケースに取り付けられた機器用面ファスナと係合させることによって、前記電子機器又は前記ケースに前記ストラップの基端を着脱可能に固定するようにしたことを特徴とするストラップ取付部材。
【請求項３】
前記取付部材は、支持部と、前記支持部に設けられた前記面ファスナとを備え、
前記支持部は、ぬいぐるみ、ワッペン、キャラクター表示体、カードホルダーとからなる群から選択された少なくとも１種であることを特徴とする請求項２記載のストラップ取付部材。
【請求項４】
携帯可能な電子機器と、前記電子機器又は前記電子機器を収納するケースに対して着脱可能に貼り付けられる固定シートと、ストラップとを備え、
固定シートは、一方の面に機器用面ファスナを備え、他方の面に粘着部を備え、前記粘着部を前記電子機器又は前記ケースに着脱可能に貼り付けることで、前記電子機器又は前記ケースに取り付けられるものであり、
前記ストラップは、ストラップ本体と、前記ストラップ本体の基端に設けられた取付部材とを備え、
前記取付部材はストラップ用面ファスナを有しており、前記ストラップ用面ファスナを、前記電子機器又は前記ケースに取り付けられた機器用面ファスナと係合させることによって、前記電子機器又は前記ケースに前記ストラップ本体の基端を着脱可能に固定したことを特徴とするストラップ付きの携帯可能な電子機器。
【請求項５】
前記電子機器は、スマートフォン、タブレットパソコン、携帯電話器、音楽プレーヤー、電子ゲーム機器から選択された一つであることを特徴とする請求項４記載の携帯可能な電子機器。
【考案の詳細な説明】
【技術分野】
【０００１】
本考案は、携帯可能な電子機器に対してストラップを取り付ける新たな構造を提供するものであり、ストラップ、ストラップ付き電子機器及びストラップの取付部材に関するものである。
【背景技術】
【０００２】
携帯電話器などの携帯可能な電子機器には、特許文献１、２等に示されるストラップを取り付けて使用することが多い。そのため、携帯電話器には、ストラップの基端に備えられた取付用の細いストラップ紐を通すための、通し孔が形成されているものが一般的であった。
【０００３】
特許文献１は、携帯電話器用ストラップに電磁波防止機能と身体健康化機能を持たすことを提案するものであり、携帯電話器にストラップの基端を通し孔に通して固定し、ストラップの先端に、ベース材の片面または両表面に電磁波吸収減衰体を塗布被覆して設けたものを開示する。このベース材には面ファスナーを設け、この面ファスナに着脱可能に係合する面ファスナをキャップブラケットに設ける。そして、キャップブラケットを携帯電話器のアンテナに装着し、面ファスナ同士を係合させることで、携帯電話器のアンテナに電磁波吸収減衰機能を備えたベース材を取り付けるものである。このように、特許文献１にあっては、携帯電話器用のストラップの基端を通し孔に固定して、携帯電話器用のストラップの先端（自由端）側に面ファスナを設けることで、他の物品をストラップの先端（自由端）に取り付けることができるようにすることを開示するものである。
【０００４】
特許文献２は、ループ状に形成されたストラップ帯体と、その基端側に備えられたストラップ紐とを備えた携帯電話器用のストラップにおいて、ストラップ帯体の外周面の全部もしくは一部に面ファスナを備るようにした携帯電話器用ストラップを開示するものである。この面ファスナによって、摩擦抵抗が増すため、携帯電話器用ストラップのストラップ帯体を手で直接把持、またはストラップ帯体をベルト等に通している場合にも、滑りにくく、不用意に携帯電話器を落してしまうことを防止できる。また、この面ファスナに係合する面ファスナを自動車のダッシュボードに取り付けておくことによって、携帯電話器をダッシュボードに固定することができることも開示されている。このように、特許文献２にあっては、携帯電話器用のストラップの基端を通し孔に固定して、携帯電話器用のストラップの先端（自由端）側のストラップ帯体に面ファスナを設けることで、携帯電話器用のストラップの先端（自由端）を適当な箇所に着脱可能に固定できるようにすること開示するものである。
【０００５】
このように、特許文献１や２の携帯電話器用のストラップは、ストラップの先端（自由端）側のストラップ帯体に面ファスナを設けることで、携帯電話器用のストラップの先端（自由端）に他の物品を取り付けることができるようにしたり、ストラップの先端（自由端）を適当な箇所に着脱可能に固定できるようにしたものであったが、ストラップの基端にはストラップ紐を設けて、これを携帯電話器機の通し孔に通して携帯電話器に取り付けることを前提としている。
ところが、スマートフォンやタブレットパソコン、音楽プレーヤー、電子ゲーム機器などでは、上記のような通し孔が形成されていないものも多い。このように、通し孔を備えていない携帯可能な電子機器にあっては、ストラップを取り付けることができない。
【先行技術文献】
【特許文献】
【０００６】
【特許文献１】特開２００４−３５８１６１号公報
【特許文献２】登録実用新案第３０４８０３５号公報
【考案の概要】
【考案が解決しようとする課題】
【０００７】
本考案は、ストラップ紐を通すための通し孔の有無に関わらず、ストラップを電子機器に簡単に着脱可能に取り付けることができるようにすることを課題とする。
【課題を解決するための手段】
【０００８】
本考案は、携帯可能な電子機器又は前記電子機器を収納するケースに取り付けられるストラップにおいて、ストラップ本体と、前記ストラップ本体の基端に設けられた取付部材とを備え、前記取付部材はストラップ用面ファスナを有しており、前記ストラップ用面ファスナを、前記電子機器又は前記ケースに取り付けられた機器用面ファスナと係合させることによって、前記電子機器又は前記ケースに前記ストラップ本体の基端を着脱可能に固定するようにしたことを特徴とするストラップを提供する。
【０００９】
また、本考案は、携帯可能な電子機器又は前記電子機器を収納するケースにストラップを取り付けるための取付部材において、少なくとも１つの面に設けられた面ファスナと、前記ストラップの基端側を挿通して固定する挿通孔とを備え、前記ストラップの基端側を前記挿通孔に通して固定すると共に、前記面ファスナを、前記電子機器又は前記ケースに取り付けられた機器用面ファスナと係合させることによって、前記電子機器又は前記ケースに前記ストラップの基端を着脱可能に固定するようにしたことを特徴とするストラップ取付部材を提供する。
【００１０】
前記取付部材は、支持部と、前記支持部に設けられた前記面ファスナとを備え、前記支持部は、ぬいぐるみ、ワッペン、キャラクター表示体、カードホルダーとからなる群から選択された少なくとも１種とすることができる。
【００１１】
また、本考案は、携帯可能な電子機器と、前記電子機器又は前記電子機器を収納するケースに対して着脱可能に貼り付けられる固定シートと、ストラップとを備え、固定シートは、一方の面に機器用面ファスナを備え、他方の面に粘着部を備え、前記粘着部を前記電子機器又は前記ケースに着脱可能に貼り付けることで、前記電子機器又は前記ケースに取り付けられるものであり、前記ストラップは、ストラップ本体と、前記ストラップ本体の基端に設けられた取付部材とを備え、前記取付部材はストラップ用面ファスナを有しており、前記ストラップ用面ファスナを、前記電子機器又は前記ケースに取り付けられた機器用面ファスナと係合させることによって、前記電子機器又は前記ケースに前記ストラップ本体の基端を着脱可能に固定したことを特徴とするストラップ付きの携帯可能な電子機器を提供する。
前記電子機器は、スマートフォン、タブレットパソコン、携帯電話器、音楽プレーヤー、電子ゲーム機器から選択された一つとすることができる。
【考案の効果】
【００１２】
本考案は、携帯可能な電子機器又は前記電子機器を収納するケースに取り付けられるストラップにおいて、ストラップ本体の基端に設けられた取付部材にストラップ側の面ファスナを有しているため、ストラップ側の面ファスナを、電子機器又はケースに取り付けられた機器側の面ファスナと係合させることによって、電子機器又はケースにストラップ本体の基端を着脱可能に固定することができる。
また、本考案は、上記のストラップの実施に用いるストラップ用の取付部材を提供することができたものである。
【００１３】
また、本考案は、スマートフォン、タブレットパソコン、携帯電話器、音楽プレーヤー、電子ゲーム機器などの形態可能な電子機器において、ストラップ紐を通すための通し孔が形成されているか否かに関わらず、ストラップを簡単に設けることが出来るようになったものである。
【００１４】
また取付部材は、ぬいぐるみ、ワッペン、キャラクター表示体、カードホルダーなどの種々の形状や機能を有する支持部を備えたものとすることによって、ストラップの装飾性や機能性を高めることができる。
【図面の簡単な説明】
【００１５】
【図１】本考案の実施の形態に係るストラップ付きの携帯可能な電子機器の斜視図。
【図２】（Ａ）同ストラップ付きの携帯可能な電子機器の分解斜視図、（Ｂ）ストラップ付きの携帯可能な電子機器の変更例を示す分解斜視図。
【図３】（Ａ）本考案の実施の形態に係るストラップ取付部材の正面図、（Ｂ）同中央縦断面図、（Ｃ）本考案の他の実施の形態に係るストラップ取付部材の正面図、（Ｄ）本考案のさらに他の実施の形態に係るストラップ取付部材の正面図、（Ｅ）本考案のさらに他の実施の形態に係るストラップ取付部材の正面図、（Ｆ）本考案のさらに他の実施の形態に係るストラップ取付部材の正面図。
【図４】（Ａ）本考案のさらに他の実施の形態に係るストラップ取付部材の正面図、（Ｂ）同中央縦断面図、（Ｃ）同背面図。
【図５】本考案のさらに他の実施の形態に係るストラップ付きの携帯可能な電子機器の側面図、（Ｂ）同ストラップ取付部材の正面図。
【図６】本考案のさらに他の実施の形態に係るストラップの正面図。
【図７】（Ａ）同ストラップの使用状態の説明図、（Ｂ）同ストラップの他の使用状態の説明図。
【考案を実施するための形態】
【００１６】
以下、図面に基づき本願発明の実施の形態を説明する。
【００１７】
（概要）本考案の実施の形態に係るストラップ１０は、電子機器３１又は、電子機器３１を収納するケース３２に取り付けて用いる。この取り付けには、ストラップ側に設けられたストラップ用面ファスナ１２と、電子機器３１側に設けられた機器用面ファスナ２１とを係脱させることによって、着脱可能に固定する
【００１８】
（電子機器）まず、このストラップ１０が取り付けられる電子機器３１について説明する。電子機器は、図１、図２に示したスマートフォンの他、タブレットパソコン、携帯電話器、音楽プレーヤー、電子ゲーム機器などの形態可能な各種電子機器を用いることができる。
【００１９】
（固定シート）この電子機器３１又はケース３２には、その背面側に、固定シート２０が取り付けられる。固定シート２０は、一方の面に機器用面ファスナ２１を備え、他方の面に粘着部２２を備える。この粘着部２２は、機器用面ファスナ２１の裏面に粘着剤を塗工したものである。この粘着剤には、ゴム系粘着剤、アクリル系粘着剤、シリコーン系粘着剤、ウレタン系粘着剤などの種々の種類を選択して用いることができるが、ウレタン系粘着剤などの再剥離性の強いものが望ましい。再剥離性を持たせることによって、固定シート２０を種々の場所や位置に貼り付け直すことができるため、使用者の好みや用途の変更に対応することができる点で有利である。機器用面ファスナ２１はストラップ用面ファスナ１２と対となって用いられるもので、両者が面的に着脱できるものである。機器用面ファスナ２１とストラップ用面ファスナ１２とは、何れか一方にフック状の多数の起毛を備え、他方にループ状の多数の起毛を備えるもので、これらのフックとループが係合して、着脱可能に面状に係合するものである。また、フックとループとの両方が密集して設けられた雌雄同体のものであってよい。この固定シート２０の粘着部２２を、電子機器３１又はケース３２の背面等の適宜箇所に貼り付けることによって、電子機器３１に機器用面ファスナ２１を配置することができる。
【００２０】
（ストラップ）ストラップ１０は、ストラップ本体１４と、ストラップ本体１４の基端に設けられた取付部材１１とを備える。さらに、図１、図２に示す例では、ストラップ本体１４の先端に種々の形状の装飾体１５を備える。この装飾体１５には、スマートフォンや携帯電話器の画像表示面を綺麗にするクリーナーを備えたものも、好適に採用できる。
【００２１】
（取付部材）取付部材１１は、前記の機器用面ファスナ２１に係合するストラップ用面ファスナ１２を有している。そして、このストラップ用面ファスナ１２を機器用面ファスナ２１に係合させることによって、電子機器３１又はケース３２に前記ストラップ本体の基端を着脱可能に固定することができる。従って、ストラップの基端に備えられた取付用の細いストラップ紐を通すための通し孔の有無に関わらず、いずれの電子機器３１やケース３２にもストラップ１０を取り付けることができる。
【００２２】
この取付部材１１は、図３に示すように、シート状の支持部１３と、その一方の面に設けられたストラップ用面ファスナ１２とを備える。そして、支持部１３の端には、ストラップ１０の基端側を挿通して固定するための挿通孔１６が形成されている。支持部１３の形状は、図３（Ａ）〜（Ｃ）に示した４角形状のものや、図３（Ｅ）、（Ｆ）に示した円形のものの他、他の多角形や、楕円形等々、種々のものに変更して実施できる。また、挿通孔１６についても、図３（Ａ）、（Ｄ）、（Ｅ）に示した円形のものや、図３（Ｃ）、（Ｆ）に示した長細いものなど、適宜変更して実施できる。支持部１３の材質は、合成術シートの他、皮革、布、不織布、木材等々、ストラップ用面ファスナ１２を設けることができるものであればよく、特に制限はない。ストラップ用面ファスナ１２と反対側の面に、前述のクリーナーを備えることもでき、また、種々のイラスト、写真、文字などの表示部としておいてもよい。
【００２３】
（変更例）上記の例の他、取付部材１１は種々変更して実施することができる。
例えば、図４に示すように、取付部材１１の形状を、ワッペンや、アニメ等のキャラクターの表示体にすることもできる。その際、ストラップ用面ファスナ１２は、支持部１３の裏面の全体に設けることもできるが、その一部にのみ設けるようにしてもよい。
【００２４】
上記の各例では、支持部１３の形状は、平面的なものであったが、図５に示すように、立体的なものとすることもできる。この支持部１３は、動物やキャラクターなどを模した縫いぐるみとして実施されたものであり、その背面側にストラップ用面ファスナ１２が設けられている。このストラップ用面ファスナ１２を電子機器３１に固定した機器用面ファスナ２１と係合することによって、電子機器３１の背面側に対して、縫いぐるみ形状の取付部材１１を、着脱可能に固定したものである。この取付部材１１は、チェーン状のストラップ本体１４の基端に設けられたものであり、ストラップ本体１４の先端には係止部材１７が設けられている。
【００２５】
図６に示す例は、取付部材１１に機能性を持たせたものである。具体的には、名刺などを挿入して表示できるカードホルダーとして実施されている。この取付部材１１であるカードホルダーは、透明の合成樹脂シートなどで構成され、上部にカードを挿入できる差込孔を有するものである。そして、その背面に、ストラップ用面ファスナ１２が設けられたものである。この取付部材１１にも、挿通孔１６が設けられ、挿通孔１６には、ストラップ本体１４の基端側と、リングなどで接続されている。このストラップ本体１４は、図７（Ａ）に示すように、使用者４１が首からかけられるような、長い帯状のストラップとして実施されている。このストラップ用面ファスナ１２に、スマートフォンやタブレットパソコンなどの電子機器３１に設けれられた機器用面ファスナを係合させることによって、電子機器３１を首からかけて使用できるようになる。これによって、スマートフォンやタブレットパソコンなどの電子機器３１を、使用者４１の正面に吊り下げて、簡単なプレゼンテーションを行なうこともできる。また、図７（Ｂ）に示すように、挿通孔１６を利用して、取付部材１１を、壁面４２に設けたフック４３から吊り下げるようにすると、スマートフォンやタブレットパソコンなどの電子機器３１を簡単に壁面に取り付けることができる。以上のように、本考案は、種々の利用方法によって、電子機器をより便利に使用できるようにしたストラップ、ストラップ取付部材、並び、ストラップ付き電子機器を提案するものである。
【符号の説明】
【００２６】
１０  ストラップ
１１  取付部材
１２  ストラップ用面ファスナ
１３  支持部
１４  ストラップ本体
１６  挿通孔
２０  固定シート
２１  機器用面ファスナ
２２  粘着部
３１  電子機器
３２  ケース
【図１】
0003179733.tif 000003
【図２】
0003179733.tif 000004
【図３】
0003179733.tif 000005
【図４】
0003179733.tif 000006
【図５】
0003179733.tif 000007
【図６】
0003179733.tif 000008
【図７】
0003179733.tif 000009